(57)【特許請求の範囲】
【請求項１】
ｅＮｏｄｅＢ構成によるアクセスサービスゲートウェイとの通信のために構成された移動無線通信デバイスに関して利用されるハンドオーバー方法であって、
前記移動無線通信デバイスでｅＮｏｄｅＢからのハンドオーバー要求を受信した後、ハンドオーバーの完了の前に、前記アクセスサービスゲートウェイにハンドオーバー表示メッセージを配信するステップを有し、
前記ハンドオーバー表示は、少なくともさらなるｅＮｏｄｅＢメッセージ伝達が受信されるまで、前記アクセスサービスゲートウェイからのダウンリンクデータの伝送を防止する役割を有する、ハンドオーバー方法。
【請求項２】
前記アクセスサービスゲートウェイは、移動マネージメントエンティティ、ユーザプレーンエンティティの少なくとも一方を備えている、請求項１に記載の方法。
【請求項３】
前記ｅＮｏｄｅＢ構成は、ソースｅＮｏｄｅＢ及びターゲットｅＮｏｄｅＢを備えている、請求項１または２に記載の方法。
【請求項４】
前記移動無線通信デバイスで受信される前記ハンドオーバー要求は、前記ソースｅＮｏｄｅＢにより配信される、請求項３に記載の方法。
【請求項５】
前記ハンドオーバーの完了は、前記移動無線通信デバイスから前記ターゲットｅＮｏｄｅＢに提供されるハンドオーバー確認により示される、請求項３または４に記載の方法。
【請求項６】
前記さらなるｅＮｏｄｅＢメッセージ伝達は、前記アクセスサービスゲートウェイを更新するための前記移動無線通信デバイスからのハンドオーバー失敗メッセージ伝達に続くハンドオーバー失敗表示メッセージを有する、請求項１から５のいずれかに記載の方法。
【請求項７】
ｅＮｏｄｅＢ構成によるネットワークの移動無線通信デバイスとアクセスサービスゲートウェイとの間の通信のための移動無線通信ネットワーク構成であって、前記移動無線通信デバイスでｅＮｏｄｅＢからのハンドオーバー要求を受信した後、ハンドオーバーの完了の前に、前記アクセスサービスゲートウェイにハンドオーバー表示メッセージを配信する手段を含み、前記ハンドオーバー表示は、少なくともさらなるｅＮｏｄｅＢメッセージ伝達が受信されるまで、前記アクセスサービスゲートウェイからのダウンリンクデータの伝送を防止するように構成される、移動無線通信ネットワーク構成。
【請求項８】
移動マネージメントエンティティ、ユーザプレーンエンティティの少なくとも一方を備えたアクセスサービスゲートウェイを含む、請求項７に記載のネットワーク構成。
【請求項９】
前記ｅＮｏｄｅＢ構成は、ソースｅＮｏｄｅＢ及びターゲットｅＮｏｄｅＢを備えている、請求項７または８に記載のネットワーク構成。
【請求項１０】
前記移動無線通信デバイスで受信される前記ハンドオーバー要求は、前記ソースｅＮｏｄｅＢから配信される、請求項９に記載のネットワーク構成。
【請求項１１】
前記ハンドオーバーの完了は、前記移動無線通信デバイスから前記ターゲットｅＮｏｄｅＢへのハンドオーバー確認信号により示されるように構成されている、請求項９または１０に記載のネットワーク構成
【請求項１２】
前記ｅＮｏｄｅＢにより提供される前記さらなるメッセージ伝達は、前記アクセスサービスゲートウェイを更新しようとしている前記移動無線通信デバイスからのハンドオーバー失敗メッセージ伝達に続くハンドオーバー失敗表示を有する、請求項７から１１のいずれかに記載のネットワーク構成。
【請求項１３】
移動無線通信ネットワークにおいて移動無線通信デバイスとアクセスサービスゲートウェイとの間の通信のためのｅＮｏｄｅＢ構成であって、前記ｅＮｏｄｅＢ構成は、前記移動無線通信デバイスにハンドオーバー要求を配信し、その後、ハンドオーバーの完了の前に、前記アクセスサービスゲートウェイにハンドオーバー表示メッセージを配信するように構成され、前記ハンドオーバー表示は、少なくともさらなるｅＮｏｄｅＢメッセージ伝達が受信されるまで、前記アクセスサービスゲートウェイからのダウンリンクデータの伝送を防止する役割を有する、ｅＮｏｄｅＢ構成。
【請求項１４】
前記アクセスサービスゲートウェイは、移動マネージメントエンティティ、ユーザプレーンエンティティの少なくとも一方を備えている、請求項１３に記載のｅＮｏｄｅＢ構成。
【請求項１５】
ソースｅＮｏｄｅＢ及びターゲットｅＮｏｄｅＢを備えている、請求項１３または１４に記載のｅＮｏｄｅＢ構成。
【請求項１６】
前記ソースｅＮｏｄｅＢは、ハンドオーバー要求を移動無線通信デバイスに配信するように構成されている、請求項１５に記載のｅＮｏｄｅＢ構成。
【請求項１７】
前記ターゲットｅＮｏｄｅＢは、ハンドオーバーの完了を示すハンドオーバー確認信号を前記移動無線通信デバイスから受信するように構成されている、請求項１５または１６に記載のｅＮｏｄｅＢ構成。
【請求項１８】
前記さらなるメッセージ伝達を、前記アクセスサービスゲートウェイを更新する役割を有する前記移動無線通信デバイスからのハンドオーバー失敗メッセージ伝達に続くハンドオーバー失敗表示メッセージとして提供するように構成されている、請求項１３から１７のいずれかに記載のｅＮｏｄｅＢ構成。
【発明の詳細な説明】
【技術分野】
【０００１】
本発明は、２００６年６月１５日に提出された英国特許出願第０６１１８３８．４号に基づき、且つ、その優先権の恩恵を主張するものであり、その開示は、参照することによりここにその全体を組み入れる。
技術分野
本発明は、移動無線通信デバイスネットワーク内のハンドオーバー手続に関するものであり、特に、ハンドオーバー方法、そのような方法によって動作するネットワーク構成、及び当該ネットワーク内に設けられる次世代ノードＢ（ｅｖｏｌｖｅｄ  ｅＮｏｄｅＢ、以下、ｅＮｏｄｅＢと呼ぶ）に関するものである。
【背景技術】
【０００２】
現在進行中の３ＧＰＰ（３ｒｄ  Ｇｅｎｅｒａｔｉｏｎ  Ｐａｒｔｎｅｒｓｈｉｐ  Ｐｒｏｊｅｃｔ）の議論の一部として提供された様々な仕様においては、アップリンク（ＵＬ）及びダウンリンク（ＤＬ）データトラフィックのためのソース及びターゲットｅＮｏｄｅＢの間のデータ転送を網羅するｅＮｏｄｅＢハンドオーバー手続を含めて、イントラＬＴＥ（Ｌｏｎｇ  Ｔｅｒｍ  Ｅｖｏｌｕｔｉｏｎ）モビリティーの問題に対して種々の貢献がなされている。
しかしながら、少なくともターゲットｅＮｏｄｅＢ内のサービスデータ単位（ＳＤＵ：Ｓｅｒｖｉｃｅ  Ｄａｔａ  Ｕｎｉｔ）レベルにおいて、データの再配置の要求が生じるので、ソース及びターゲットｅＮｏｄｅＢ間におけるデータ転送の期間に関連して不都合が生じることが認められている。
【発明の開示】
【０００３】
本発明は、既知のそのようなネットワークよりも優れた移動無線通信ネットワークに関するミソロジー及びｅＮｏｄｅＢ構成、ハンドオーバー方法及びネットワーク構成を提供しようとするものである。
本発明の第１の態様によれば、ｅＮｏｄｅＢ構成によるアクセスサービスゲートウェイとの通信のために構成された移動無線通信デバイスに関して利用されるハンドオーバー方法であって、
前記移動無線通信デバイスでｅＮｏｄｅＢからのハンドオーバー要求を受信した後、ハンドオーバーの完了の前に、前記アクセスサービスゲートウェイにハンドオーバー表示メッセージを配信するステップを有し、
前記ハンドオーバー表示は、さらなるｅＮｏｄｅＢメッセージ伝達が受信されるまで、前記アクセスサービスゲートウェイからのダウンリンクデータの伝送を防止する役割を有するハンドオーバー方法が提供される。
本発明は、ネットワークのアクセスサービスゲートウェイに提供された早期のハンドオーバー表示メッセージの利用を通して、ｅＮｏｄｅＢ構成によるデータ転送オーバーヘッドを有利に低減することができ、上述した再配置機能の必要を無くすことができる点で利点がある。
ある特定の実施形態においては、前記アクセスサービスゲートウェイは、移動マネージメントエンティティ（ＭＭＥ：ｍｏｂｉｌｅ  ｍａｎａｇｅｍｅｎｔ  ｅｎｔｉｔｙ）、ユーザプレーンエンティティ（ＵＰＥ：ｕｓｅｒ  ｐｌａｎｅ  ｅｎｔｉｔｙ）の少なくとも一方を備えることができる。ｅＮｏｄｅＢ構成がソースｅＮｏｄｅＢ及びターゲットｅＮｏｄｅＢを都合よく備えていることは理解されよう。
このように、前記移動無線通信デバイスで受信される前記ハンドオーバー要求は、前記ソースｅＮｏｄｅＢにより配信される、
また、前記ハンドオーバーの完了は、前記移動無線通信デバイスから前記ターゲットｅＮｏｄｅＢに配信されるハンドオーバー確認により示される。
さらにまた、前記さらなるｅＮｏｄｅＢメッセージ伝達は、前記アクセスサービスゲートウェイを更新するための前記移動無線通信デバイスからのハンドオーバー失敗メッセージ伝達に続くハンドオーバー失敗表示メッセージを有することができる。
本発明の他の態様によれば、ｅＮｏｄｅＢ構成によるネットワークの移動無線通信デバイスとアクセスサービスゲートウェイとの間の通信のための移動無線通信ネットワーク構成であって、前記移動無線通信デバイスでｅＮｏｄｅＢからのハンドオーバー要求を受信した後、ハンドオーバーの完了の前に、前記アクセスサービスゲートウェイにハンドオーバー表示メッセージを配信する手段を含み、このハンドオーバー表示は、さらなるｅＮｏｄｅＢメッセージ伝達が受信されるまで、前記アクセスサービスゲートウェイからのダウンリンクデータの伝送を防止するように構成される移動無線通信ネットワーク構成が提供される。
都合のよいことに、前記ネットワーク構成は、移動マネージメントエンティティ、ユーザプレーンエンティティの少なくとも一方を備えたアクセスサービスゲートウェイを含んでいる。
前記ｅＮｏｄｅＢ構成は、ソースｅＮｏｄｅＢ及びターゲットｅＮｏｄｅＢを備えることができる。このように、前記移動無線通信デバイスで受信される前記ハンドオーバー要求は、前記ソースｅＮｏｄｅＢから配信される。
さらにまた、上記のように、前記ハンドオーバーの完了は、前記移動無線通信デバイスから前記ターゲットｅＮｏｄｅＢへのハンドオーバー確認信号により示されるように構成されている。
また、前記移動無線通信ネットワーク構成において、前記ｅＮｏｄｅＢにより提供される前記さらなるメッセージ伝達は、前記アクセスサービスゲートウェイを更新しようとしている前記移動無線通信デバイスからのハンドオーバー失敗表示またはメッセージ伝達を有することができる。
本発明のさらなる態様によれば、移動無線通信ネットワークにおいて移動無線通信デバイスとアクセスサービスゲートウェイとの間の通信のためのｅＮｏｄｅＢ構成であって、前記ｅＮｏｄｅＢ構成は、前記移動無線通信デバイスにハンドオーバー要求を配信し、その後、ハンドオーバーの完了の前に、前記アクセスサービスゲートウェイにハンドオーバー表示メッセージを配信するように構成され、このハンドオーバー表示は、さらなるｅＮｏｄｅＢメッセージ伝達が受信されるまで、前記アクセスサービスゲートウェイからのダウンリンクデータの伝送を防止する役割を有するｅＮｏｄｅＢ構成が提供される。
上述のように、前記アクセスサービスゲートウェイは、移動マネージメントエンティティ、ユーザプレーンエンティティの少なくとも一方を備えることができ、前記ｅＮｏｄｅＢ構成は、ソースｅＮｏｄｅＢ及びターゲットｅＮｏｄｅＢを備えることができる。特に、前記ソースｅＮｏｄｅＢは、ハンドオーバー要求を移動無線通信デバイスに配信するように構成されている。
さらにまた、前記ターゲットｅＮｏｄｅＢは、ハンドオーバーの完了を示すハンドオーバー確認信号を前記移動無線通信デバイスから受信するように構成されている。
また、前記ｅＮｏｄｅＢは、前記さらなるメッセージ伝達を、前記アクセスサービスゲートウェイを更新する役割を有する前記移動無線通信デバイスからのハンドオーバー失敗メッセージ伝達に続くハンドオーバー失敗表示メッセージとして提供するように構成されている。
その結果理解されるように、本発明は、ネットワークに早期にハンドオーバー表示メッセージを提供し、本発明でなければ生じるであろうソース及びターゲットｅＮｏｄｅＢ間のデータ転送期間を短縮する役割を都合よく有し、また、本発明でなければターゲットｅＮｏｄｅＢ内で生じるであろう再配置の必要を無くす役割を都合よく有する。
【図面の簡単な説明】
【０００４】
第１図は、現在の技術水準によるハンドオーバー手続を示すメッセージシーケンスチャートであり、
第２図は、本発明の一実施形態によるハンドオーバー手続を示す、第１図と同様のメッセージシーケンスチャートである。
【発明を実施するための最良の形態】
【０００５】
まず第１図に目を向けつつ、本発明との差異を明確にするために、現在の技術水準のさらなる詳細を述べる。
第１図は、移動無線通信デバイス１０と、ソースｅＮｏｄｅＢ１２と、ターゲットｅＮｏｄｅＢ１４と、本例においては移動マネージメントエンティティ及びユーザプレーンエンティティを備えたアクセスサービスゲートウェイ１６との間における信号伝達及びデータ伝送を示すメッセージシーケンスチャートである。
第１図から理解されるように、ターゲットｅＮｏｄｅＢ１４が移動無線通信デバイス１０から配信されるハンドオーバー確認信号１８を受信するまで、アクセスサービスゲートウェイ１６はハンドオーバー状態に関する情報を受信しない。同様に理解されるように、ソースｅＮｏｄｅＢ１２が移動無線通信デバイス１０にハンドオーバー指令（要求）信号２０を送信したときから、ソースｅＮｏｄｅＢ１２でターゲットｅＮｏｄｅＢ１４からハンドオーバー完了信号２２を受信するまでの間、アクセスサービスゲートウェイ１６はダウンリンク方向にデータを伝送し続ける（第１図の矢印２６）。そのようなデータは、ソースｅＮｏｄｅＢ１２内にバッファされ（第１図のＢ１）、連続的にターゲットｅＮｏｄｅＢ１４に転送される（第１図の矢印２４）。
そのような継続的なデータの転送及びバッファリングの観点から、少なくともターゲットｅＮｏｄｅＢ１４内でＳＤＵレベルでの再配置が必要となる。
上記のような点は、ソースｅＮｏｄｅＢ１２とターゲットｅＮｏｄｅＢ１４との間の連続的なデータ転送の観点から全データ転送期間がさらに長くなり、不都合に長くなるので、不利な制限を加えるものであり、全伝送容量に対して制限的な影響を及ぼすことが判明している。また、ターゲットｅＮｏｄｅＢ内で特定の再配置機能が必要とされ、これは不必要な機能レベルを必要とする。
第１図において、アクセスサービスゲートウェイ１６からの持続的信号伝達及びデータ信号伝達と、データ転送は矢印２６，２４により示されており、アクセスサービスゲートウェイ１６で最初に受信されたメッセージ伝達は、矢印２８で示された移動無線通信デバイスに関する更新メッセージ［ＭＭＥ／ＵＰＥへのＵＥ（Ｕｓｅｒ  Ｅｌｅｍｅｎｔ）更新］である。
ここで本発明の実施形態を示す第２図に目を向けると、移動無線通信デバイス１１０、ソースｅＮｏｄｅＢ１１２、ターゲットｅＮｏｄｅＢ１１４及びアクセスサービスゲートウェイ１１６との間のメッセージシーケンスチャートが示されている。
第１図を参照して述べられた現在の技術水準と同様に、ハンドオーバー指令（要求）信号１２０がソースｅＮｏｄｅＢ１１２から移動無線通信デバイス１１０に配信され、ハンドオーバー確認信号１１８が移動無線通信デバイス１１０からターゲットｅＮｏｄｅＢ１１４に配信され、ハンドオーバー完了信号１２２がターゲットｅＮｏｄｅＢ１１４からソースｅＮｏｄｅＢ１１２に配信され、移動無線通信デバイス更新信号１２８が手続の最後にアクセスサービスゲートウェイ１１６に配信される。
しかしながら、これは重要なことであるが、本発明の図示された実施形態においては、信号伝達１２８は、アクセスサービスゲートウェイ１１６がハンドオーバー手続に関して受信する最初の表示ではない。
それどころか、ハンドオーバー指令１２０がソースｅＮｏｄｅＢ１１２から移動無線通信デバイス１１０に配信された後であって、図示された実施形態ではハンドオーバー完了信号１２２，更新信号１２８の前のちょうどよいときに、特定のハンドオーバー開始表示（ハンドオーバー表示）信号１３０がソースｅＮｏｄｅＢ１１２からアクセスサービスゲートウェイ１１６に配信される。
ハンドオーバー開始表示信号１３０に結びついた機能は、上述した信号伝達オーバーヘッドを減らし、同様にターゲットｅＮｏｄｅＢ１１４内の再配置機能に対する要求を克服するように、アクセスサービスゲートウェイ１１６からのダウンリンクトラフィックを有利に防止することができる。そのような改良は、第２図では、第１図に関連して示された信号２４，２６に相当するユーザデータ信号伝達が存在しないことにより示されている。
図示されるように、アクセスサービスゲートウェイ１１６は、ハンドオーバー開始表示信号１３０を受信すると、それ以上ダウンリンクデータを送信することを止めるように都合よく構成されている。通常のシナリオとして考えられるのは、アクセスサービスゲートウェイ１１６がターゲットｅＮｏｄｅＢ１１４から更新信号１２８を受信し続けることである。しかしながら、いわゆる異常時のシナリオでは、ソースｅＮｏｄｅＢ１１２からハンドオーバー失敗表示メッセージ（図示せず）を受信するようにアクセスサービスゲートウェイ１１６を構成することができる。
ハンドオーバーの失敗したことが判明した場合には、ターゲットｅＮｏｄｅＢ１１４は、以前に転送されたデータのすべてを単に破棄することができる。
したがって、本発明によりアクセスサービスゲートウェイに提供される早期のハンドオーバー表示は、現在の技術水準において認められている制限を克服するのに有利に役立つ。
【図１】
0004840616.tif 000002
【図２】
0004840616.tif 000003